(57)【要約】【課題】  切欠き部と溝の係合を強くし、端フラップの強度を保持できるようにして、品物の抑え機能の向上を図り、また、操作性の向上も図る。【解決手段】  側フラップ３における切欠き部１４を形成する外側片部１８の縁部１４ａを内側から側フラップ３の端縁６の延長線Ｐに向けて傾斜形成し、端フラップ１の引上部１５の左右対称位置であって、端フラップ１の端壁１０に対する連設線２０と端フラップ１の端縁６との中間に、連設線２０の外側から端縁６の中心側に向けて傾斜した線状の切込み２１を形成し、溝１１を底部から開放端に向けて拡開形成した。【選択図】  図１
2005047594.tif 000002
【特許請求の範囲】
【請求項１】
一対の端壁から夫々連設された一対の端フラップ及び一対の側壁から夫々連設された一対の側フラップを有し、上記端フラップの両側端部及び上記側フラップの両側端部を重ねた状態で、上記端フラップの端縁及び上記側フラップの端縁によって天面に開口を形成してなる段ボール箱であって、
上記端フラップの両側端部に該端フラップの端縁から左右対称位置に切り込まれた溝を形成する一方、
上記側フラップのコーナ部に上記溝が係合する切欠き部を形成し、
上記端フラップの両側端部の上に上記側フラップの両側端部を夫々重ねた状態で該端フラップの上記溝間に形成された引上部を引き上げることにより、上記溝と切欠き部とを係合させて、
上記端フラップの溝より内側の内側角部によって上記側フラップの切欠き部より内側の内側片部を押え、
上記側フラップの切欠き部より外側の外側片部によって上記端フラップの溝より外側の外側角部を押えるようにした段ボール箱において、
上記側フラップにおける上記切欠き部を形成する外側片部の縁部を内側から該側フラップの端縁の延長線に向けて傾斜形成したことを特徴とする段ボール箱。
【請求項２】
上記端フラップの引上部の左右対称位置であって、該端フラップの上記端壁に対する連設線と該端フラップの端縁との中間に、上記連設線の外側から端縁の中心側に向けて傾斜した線状の切込みを形成したことを特徴とする請求項１記載の段ボール箱。
【請求項３】
上記溝を底部から開放端に向けて拡開形成したことを特徴とする請求項１または２記載の段ボール箱。
【発明の詳細な説明】
【技術分野】
【０００１】
本発明は、レタス等の野菜を始め種々の品物を収納する段ボール箱に係り、特に、天面に開口を形成して内部の品物が見えるようにした段ボール箱に関する。
【背景技術】
【０００２】
従来、この種の段ボール箱には、例えば、特開２００３−１７０９２１号公報に記載されたものが知られている（特許文献１参照）。
図５に示すように、この従来の段ボール箱Ｂａは、一対の端壁１００から夫々連設された一対の端フラップ１０１及び一対の側壁１０２から夫々連設された一対の側フラップ１０３を有し、端フラップ１０１の両側端部１０４及び側フラップ１０３の両側端部１０５を重ねた状態で、端フラップ１０１の端縁１０６及び側フラップ１０３の端縁１０７によって天面１０８に開口１０９を形成してなる。
【０００３】
また、この段ボール箱Ｂａは、端フラップ１０１の両側端部１０４に端フラップ１０１の端縁１０６から左右対称位置に切り込まれた直線状の溝１１１を形成する一方、側フラップ１０３のコーナ部１１２に溝１１１が係合する切欠き部１１４を形成して構成されている。
切欠き部１１４を形成する側フラップ１０３の外側の外側片部１１８において、この外側片部１１８の縁部１１４ａは、内側から側フラップ１０３の側壁１０２に対する連設線１１３の延長線１１３ａに向けて斜めに形成されている。
【０００４】
そして、この段ボール箱Ｂａにおいて内部に品物を収納した状態で天面１０８を閉じる際は、端フラップ１０１の両側端部１０４の上に側フラップ１０３の両側端部１０５を夫々重ね、この状態で端フラップ１０１の溝１１１間に形成された引上部１１５を引き上げる。これにより、図５（ｂ）に示すように、溝１１１と切欠き部１１４とが係合し、端フラップ１０１の溝１１１より内側の内側角部１１６により側フラップ１０３の切欠き部１１４より内側の内側片部１１７が押えられ、側フラップ１０３の切欠き部１１４より外側の外側片部１１８により端フラップ１０１の溝１１１より外側の外側角部１１９が押えられ、天面１０８に開口１０９が形成されて、天面１０８が閉じられる。
【０００５】
この従来の段ボール箱Ｂａにおいては、上記の引上部１１５の引上げの際に、引上部１１５が容易に引上げられるように、引上部１１５に、折込罫線１２１，１２３が入れられている。折込罫線１２１は、端フラップ１０１の引上部１１５の左右対称位置であって、端フラップ１０１の端壁１００に対する連設線１２０と端フラップ１０１の端縁１０６との間に亘り、連設線１２０の中央から端縁１０６の外側に向けて傾斜形成されている。また、折込罫線１２３は、端フラップ１０１の中心線１２２上に形成されている。
【０００６】
【特許文献１】特開２００３−１７０９２１号公報
【発明の開示】
【発明が解決しようとする課題】
【０００７】
ところで、この従来の段ボール箱Ｂａにおいては、切欠き部１１４を形成する外側片部１１８の縁部１１４ａは、内側から側フラップ１０３の側壁１０２に対する連設線１１３の延長線１１３ａに向けて斜めに形成されているので、切欠き部１１４の切欠きが大きくなっており、その分、溝１１１との係合が弱く、外側片部１１８による端フラップ１０１の外側角部１１９の押さえが弱くなっているという問題があった。
また、引上部１１５において、折込罫線１２１は端フラップ１０１の連設線１２０と端フラップ１０１の端縁１０６との間に亘って、謂わば「逆ハの字形」をしており、折込罫線１２３は端フラップ１０１の中心線１２２上に形成されているので、引上部１１５を引き上げる際、折込罫線１２１，１２３が折れて、端フラップ１０１の強度が低下し、それだけ、溝１１１と切欠き部１１４との係合が弱くなってしまう。そのため、段ボール箱Ｂａの中に詰めた品物の盛り上がりを抑えることが十分にできずに、段ボール箱Ｂａの積み上げ時の安定を損ねてしまう原因になっているという問題があった。
更にまた、端フラップ１０１に設けられている溝１１１が小さいので、溝１１１と切欠き部１１４とが係合しにくく、それだけ、操作性が悪いという問題もあった。
本発明は上記の問題点に鑑みて為されたもので、切欠き部と溝の係合を強くし、端フラップの強度を保持できるようにして、品物の抑え機能の向上を図り、また、操作性の向上も図った段ボール箱を提供することを目的とする。
【課題を解決するための手段】
【０００８】
このような目的を達成するための本発明の技術的手段は、一対の端壁から夫々連設された一対の端フラップ及び一対の側壁から夫々連設された一対の側フラップを有し、上記端フラップの両側端部及び上記側フラップの両側端部を重ねた状態で、上記端フラップの端縁及び上記側フラップの端縁によって天面に開口を形成してなる段ボール箱であって、
上記端フラップの両側端部に該端フラップの端縁から左右対称位置に切り込まれた溝を形成する一方、上記側フラップのコーナ部に上記溝が係合する切欠き部を形成し、上記端フラップの両側端部の上に上記側フラップの両側端部を夫々重ねた状態で該端フラップの上記溝間に形成された引上部を引き上げることにより、上記溝と切欠き部とを係合させて、上記端フラップの溝より内側の内側角部によって上記側フラップの切欠き部より内側の内側片部を押え、上記側フラップの切欠き部より外側の外側片部によって上記端フラップの溝より外側の外側角部を押えるようにした段ボール箱において、
上記側フラップにおける上記切欠き部を形成する外側片部の縁部を内側から該側フラップの端縁の延長線に向けて傾斜形成した構成としている。
【０００９】
これにより、本発明の段ボール箱においては、側フラップにおける切欠き部を形成する外側片部の縁部が、内側から側フラップの端縁の延長線に向けて傾斜形成されているので、それだけ、外側片部が大きく形成されることになる。そのため、内部に品物を収納した状態で引上部を引上げ天面を閉じると、溝との係合が強くなり、また、外側片部による端フラップの外側角部の押さえが強くなる。これにより、端フラップの押えが強くなり天面が確実に閉止され、段ボール箱の中に詰めた品物の盛り上がりを抑えることが十分に行なわれ、段ボール箱の積み上げ時の安定を向上させることができる。
【００１０】
また、必要に応じ、上記端フラップの引上部の左右対称位置であって、該端フラップの上記端壁に対する連設線と該端フラップの端縁との中間に、上記連設線の外側から端縁の中心側に向けて傾斜した線状の切込みを形成した構成としている。
これにより、内部に品物を収納した状態で天面を閉じる際は、引上部を引上げるが、連設線の外側から端縁の中心側に向けて傾斜した線状の切込みがあるので、ある程度この切込みのところで曲がるとともに、この切込みの両端外側部分が撓むようになり、そのため、引上げが容易になる。また、引上部を引上げる際には、引上部の切込みの両端外側部分が撓むだけなので、端フラップのこの撓む部位に必要のない折れ目がつきにくくなっており、そのため、端フラップの強度低下が防止される。また、切込みが謂わば「ハの字形」をしているので、従来の折込罫線の「逆ハの字形」に比較して、引上部の引上げによって折れようとする方向が逆らう方向にあり、この点でも、撓む部位に必要のない折れ目がつきにくくなっており、そのため、端フラップの強度低下が防止される。その結果、端フラップの押えが強くなり天面が確実に閉止され、段ボール箱の中に詰めた品物の盛り上がりを抑えることが十分に行なわれ、段ボール箱の積み上げ時の安定を向上させることができる。
【００１１】
更に、上記溝を底部から開放端に向けて拡開形成した構成としている。内部に品物を収納した状態で引上部を引上げると、溝と切欠き部とが係合するが、溝は底部から開放端に向けて拡開形成され、略Ｖ字状に形成されているので、側フラップの内側片部が溝に入り込み易くなり、そのため、フラップ同士を係合させるときの操作性が向上させられる。
【発明の効果】
【００１２】
本発明の段ボール箱によれば、側フラップにおける切欠き部を形成する外側片部の縁部を内側から側フラップの端縁の延長線に向けて傾斜形成したので、外側片部を大きく形成することができるので、端フラップの押えを強くし天面を確実に閉止することができ、品物の抑え機能の向上を図ることができる。
【００１３】
また、端フラップの引上部に左右対称位置であって、端フラップの端壁に対する連設線とフラップの端縁との間に、連設線の外側から端縁の中心側に向けて傾斜した線状の切込みを形成した場合には、引上部を引上げるとき、切込みにより引上げを容易にすることができるとともに、端フラップに折れ目をつきにくくすることができる。そのため、端フラップの押えが強くなり天面を確実に閉止することができ、段ボール箱の中に詰めた品物の盛り上がりを抑えることを十分に行なうことができるとともに、段ボール箱の積み上げ時の安定を向上させることができる。
【００１４】
更に、溝を底部から開放端に向けて拡開形成した場合には、フラップを係合させるときの操作性を向上させることができる。
【発明を実施するための最良の形態】
【００１５】
以下、添付図面に基づいて、本発明の実施の形態に係る段ボール箱について詳細に説明する。
図１乃至図３には、本発明の実施の形態に係る段ボール箱Ｂを示す。この段ボール箱Ｂは、一対の端壁１０から夫々連設された一対の端フラップ１及び一対の側壁２から夫々連設された一対の側フラップ３を有し、端フラップ１の両側端部４及び側フラップ３の両側端部５を重ねた状態で、端フラップ１の端縁６及び側フラップ３の端縁７によって天面８に開口９を形成するものである。
【００１６】
また、端フラップ１の両側端部４に端フラップ１の端縁６から左右対称位置に切り込まれた溝１１を形成する一方、側フラップ３のコーナ部１２に溝１１が係合する切欠き部１４を形成し、端フラップ１の両側端部４の上に側フラップ３の両側端部５を夫々重ねた状態で端フラップ１の溝１１間に形成された引上部１５を引き上げることにより、溝１１と切欠き部１４とを係合させるようにしている。即ち、溝１１と切欠き部１４とが係合した状態で、端フラップ１の溝１１より内側の内側角部１６によって、側フラップ３の切欠き部１４より内側の内側片部１７を押え、側フラップ３の切欠き部１４より外側の外側片部１８によって、端フラップ１の溝１１より外側の外側角部１９を押えるように構成されている。
【００１７】
そして、本発明の実施の形態に係る段ボール箱Ｂにおいては、側フラップ３における切欠き部１４を形成する外側片部１８の縁部１４ａは、内側から側フラップ３の端縁７の延長線Ｐに向けて傾斜形成されている。
【００１８】
また、端フラップ１の引上部１５の左右対称位置であって、端フラップ１の端壁１０に対する連設線２０と端フラップ１の端縁６との中間には、連設線２０の外側から端縁６の中心側に向けて傾斜した線状の切込み２１が形成されている。
更に、溝１１は、底部から開放端に向けて拡開形成され、略Ｖ字状に形成されている。
【００１９】
従って、本発明の実施の形態に係る段ボール箱Ｂにおいて、内部に品物を収納した状態で天面８を閉じる際は、以下のようにして行なう。
先ず、図４に示すように、端フラップ１を夫々内側に折り曲げる。次に内側に折り曲げられた端フラップ１の上に来るように側フラップ３を夫々内側に折り曲げる。
折り曲げた側フラップ３を両方共に押えながら、片方の端フラップ１の引上部１５を上に引上げる。引上部１５を引上げると夫々の内側角部１６が上がり、夫々の内側片部１７の上にくると同時に両方の溝１１と切欠き部１４が係合され、端フラップ１と側フラップ３が係合される。もう片方の端フラップ１と側フラップ３も同様に操作することにより天面８を閉止できる。
【００２０】
この場合、引上部１５を引上げるときには、連設線２０の外側から端縁６の中心側に向けて傾斜した線状の切込み２１があるので、ある程度この切込み２１のところで曲がるとともに、この切込み２１の両端外側部分が撓むようになり、そのため、引上げが容易になる。また、引上部１５を引上げる際には、引上部１５の切込み２１の両端外側部分が撓むだけなので、端フラップ１のこの撓む部位に必要のない折れ目がつきにくくなっており、そのため、端フラップ１の強度低下が防止される。また、切込み２１が謂わば「ハの字形」をしているので、従来の折込罫線の「逆ハの字形」に比較して、引上部１５の引上げによって折れようとする方向が逆らう方向にあり、この点でも、撓む部位に必要のない折れ目がつきにくくなっており、そのため、端フラップ１の強度低下が防止される。
【００２１】
更に、溝１１と切欠き部１４とが係合する際は、溝１１は底部から開放端に向けて拡開形成され、略Ｖ字状に形成されているので、側フラップ３の内側片部１７が溝１１に入り込み易くなり、そのため、フラップ同士を係合させるときの操作性が向上させられる。
【００２２】
このようにして天面８が閉止された状態においては、端フラップ１の撓む部位に必要のない折れ目がつきにくくなっているので、端フラップ１の強度低下が防止され、それだけ、溝１１と切欠き部１４の係合が弱くなる事態が防止される。そのため、段ボール箱Ｂの中に詰めた品物の盛り上がりを抑えることを十分に行なうことができ、段ボール箱Ｂの積み上げ時の安定を向上させることができる。
【００２３】
また、側フラップ３における切欠き部１４を形成する外側片部１８の縁部１４ａが、内側から側フラップ３の端縁７の延長線Ｐに向けて傾斜形成されているので、それだけ、外側片部１８が大きく形成されることになる。そのため、溝１１との係合が強くなり、また、外側片部１８による端フラップ１の外側角部１９の押さえが強くなる。これにより、端フラップ１の押えが強くなり天面８が確実に閉止され、この点でも、段ボール箱Ｂの中に詰めた品物の盛り上がりを抑えることを十分に行なうことができ、段ボール箱Ｂの積み上げ時の安定を向上させることができる。
【図面の簡単な説明】
【００２４】
【図１】本発明の実施の形態に係る段ボール箱を示す斜視図である。
【図２】本発明の実施の形態に係る段ボール箱を示す展開図である。
【図３】本発明の実施の形態に係る段ボール箱を天面を閉止した状態で示す斜視図である。
【図４】本発明の実施の形態に係る段ボール箱の組み立て手順を示す図である。
【図５】従来の段ボール箱の一例をその組み立て手順とともに示す斜視図である。
【符号の説明】
【００２５】
Ｂ  段ボール箱
１  端フラップ
２  側壁
３  側フラップ
４  側端部
５  側端部
６  端縁
７  端縁
８  天面
９  開口
１０  端壁
１１  溝
１２  コーナ部
１４  切欠き部
１４ａ  縁部
１５  引上部
１６  内側角部
１７  内側片部
１８  外側片部
１９  外側角部
２０  連設線
Ｐ  延長線
２１  切込み
【図１】
2005047594.tif 000003
【図２】
2005047594.tif 000004
【図３】
2005047594.tif 000005
【図４】
2005047594.tif 000006
【図５】
2005047594.tif 000007
【手続補正書】
【提出日】平成16年5月24日(2004.5.24)
【手続補正１】
【補正対象書類名】特許請求の範囲
【補正対象項目名】全文
【補正方法】変更
【補正の内容】
【特許請求の範囲】
【請求項１】
一対の端壁から夫々連設された一対の端フラップ及び一対の側壁から夫々連設された一対の側フラップを有し、上記端フラップの両側端部及び上記側フラップの両側端部を重ねた状態で、上記端フラップの端縁及び上記側フラップの端縁によって天面に開口を形成してなる段ボール箱であって、
上記端フラップの両側端部に該端フラップの端縁から左右対称位置に切り込まれた溝を形成する一方、
上記側フラップのコーナ部に上記溝が係合する切欠き部を形成し、
上記端フラップの両側端部の上に上記側フラップの両側端部を夫々重ねた状態で該端フラップの上記溝間に形成された引上部を引き上げることにより、上記溝と切欠き部とを係合させて、
上記端フラップの溝より内側の内側角部によって上記側フラップの切欠き部より内側の内側片部を押え、
上記側フラップの切欠き部より外側の外側片部によって上記端フラップの溝より外側の外側角部を押えるようにした段ボール箱において、
上記側フラップにおける上記切欠き部を形成する外側片部の縁部を内側から該側フラップの端縁の延長線に向けて傾斜形成し、
上記端フラップの引上部の左右対称位置であって、該端フラップの上記端壁に対する連設線と該端フラップの端縁との中間に、上記連設線の外側から端縁の中心側に向けて傾斜した線状の切込みを形成し、
上記溝を底部から開放端に向けて拡開形成したことを特徴とする段ボール箱。